(57)【特許請求の範囲】
【請求項１】
ワイヤレス接続をトリガする方法であって、
モバイル機器が、前記モバイル機器での有線接続の切断と前記モバイル機器での前記有線接続の接続との一方を検出すること、
前記モバイル機器が、前記有線接続の前記切断の前記検出に基づいてワイヤレス接続を終了すること、
前記有線接続の前記接続の検出に基づいて、前記有線接続を介して受信されたメッセージに基づいてワイヤレス・インタフェースへの電力を調整することと、
を含む方法。
【請求項２】
前記有線接続の前記接続の前記検出は、前記モバイル機器に接続されるケーブルを検出することを含む、請求項１の方法。
【請求項３】
前記有線接続を介して第２の機器から前記メッセージを受信することを更に含む、請求項１の方法。
【請求項４】
前記モバイル機器での前記有線接続の前記切断の検出に基づいてワイヤレス・インタフェースをオフにすることを更に含む、請求項１の方法。
【請求項５】
前記モバイル機器での前記有線接続の前記接続の検出に基づいてワイヤレス・インタフェースをオンにすることを更に含む、請求項１の方法。
【請求項６】
前記有線接続の前記接続の前記検出に基づいて、前記モバイル機器と第２の機器との間に前記有線接続を確立することを更に含む、請求項１の方法。
【請求項７】
前記有線接続の前記接続の前記検出に基づいて、前記モバイル機器と第３の機器との間に前記有線接続を確立することを更に含む、請求項６の方法。
【請求項８】
前記ワイヤレス接続がブルートゥース・インタフェースである、請求項１の方法。
【請求項９】
前記モバイル機器はブルートゥース・モデムを含む、請求項８の方法。
【請求項１０】
前記モバイル機器はワイヤレス・インタフェースを含む、請求項１の方法。
【請求項１１】
前記モバイル機器は有線インタフェースを含む、請求項１の方法。
【請求項１２】
前記有線インタフェースはＭＤＤＩ、ＵＳＢ、イーサネット、磁気充電器、電気充電器、ＤＶＩ、ＶＧＡ、ＴＶＯｕｔ、ＨＤＭＩ又はＭＨＬのうちの１つである、請求項１１の方法。
【請求項１３】
ユーザ入力に基づいてワイヤレス・インタフェースへの電力を調整することを無効にすることを更に含む、請求項１の方法。
【請求項１４】
有線インタフェースと、
ワイヤレス接続を形成するように構成されたワイヤレス・インタフェースと、
前記有線インタフェースで有線接続の切断と前記有線接続の接続との一方を検出するように構成される第１の処理回路と、
前記有線接続の前記切断の前記検出に基づいて、前記ワイヤレス接続を終了し、前記有線接続の前記接続の検出に基づいて、前記有線接続を介して受信されたメッセージに基づいて前記ワイヤレス・インタフェースへの電力を調整するように構成される第２の処理回路と、
を具備するワイヤレス通信装置。
【請求項１５】
前記第１の処理回路は更に、前記有線接続の前記接続の前記検出に基づいて、モバイル機器に接続しているケーブルを検出するように構成される、請求項１４のワイヤレス通信装置。
【請求項１６】
前記第１の処理回路は更にモバイル機器に最初に接続しているケーブルの前記切断を検出するように構成される、請求項１４のワイヤレス通信装置。
【請求項１７】
前記第１の処理回路は更に、前記有線接続の前記接続の前記検出に基づいて、前記有線接続を介して第２の機器からメッセージを受信するように構成される、請求項１４のワイヤレス通信装置。
【請求項１８】
前記第２の処理回路は更に、前記有線接続の前記切断の前記検出に基づいて、前記ワイヤレス・インタフェースをオフにするように構成される、請求項１４のワイヤレス通信装置。
【請求項１９】
前記第２の処理回路は更に、前記有線接続の前記接続の前記検出に基づいて、前記ワイヤレス・インタフェースをオンにするように構成される、請求項１４のワイヤレス通信装置。
【請求項２０】
前記有線接続の前記接続の前記検出に基づいて、モバイル機器と第２の機器との間に有線接続を確立するように構成される第３の処理回路を更に含む、請求項１４のワイヤレス通信装置。
【請求項２１】
前記第２の処理回路は更に、前記有線接続の前記接続の前記検出に基づいて、モバイル機器と前記第２の機器との間にワイヤレス接続を確立するように構成される、請求項２０のワイヤレス通信装置。
【請求項２２】
前記有線接続の前記接続の前記検出に基づいて、モバイル機器と第３の機器との間に有線接続を確立するように構成される第３の処理回路を更に含む、請求項１４のワイヤレス通信装置。
【請求項２３】
前記第２の処理回路は更に、前記有線接続の前記接続の前記検出に基づいて、モバイル機器と第２の機器との間にワイヤレス接続を確立するように構成される、請求項２２のワイヤレス通信装置。
【請求項２４】
前記ワイヤレス・インタフェースはブルートゥース・インタフェースである、請求項１４のワイヤレス通信装置。
【請求項２５】
ブルートゥース・モデムを更に含む、請求項１４のワイヤレス通信装置。
【請求項２６】
前記有線インタフェースはＭＤＤＩ、ＵＳＢ、イーサネット、磁気充電器、電気充電器、ＤＶＩ、ＶＧＡ、ＴＶＯｕｔ、ＨＤＭＩ又はＭＨＬのうちの１つである、請求項１４のワイヤレス通信装置。
【請求項２７】
ユーザ入力に基づいて前記第２の処理回路を無効にするように構成される第３の処理回路を更に含む、請求項１４のワイヤレス通信装置。
【請求項２８】
モバイル機器が、前記モバイル機器での有線接続の切断と前記有線接続の接続との一方を検出する手段と、
前記モバイル機器が、前記有線接続の前記切断の検出に基づいて、ワイヤレス接続を終了する手段と、
前記モバイル機器が、前記有線接続の前記接続の検出に基づいて、前記有線接続を介して受信されたメッセージに基づいてワイヤレス・インタフェースへの電力を調整する手段と、
を具備するワイヤレス通信装置。
【請求項２９】
装置によって実行されると、前記装置に、
モバイル機器での有線接続の切断と前記有線接続の接続との一方を検出させるためのインストラクションと、
前記有線接続の前記切断の前記検出に基づいてワイヤレス接続を終了させるためのインストラクションと、
前記有線接続の前記接続の検出に基づいて、前記有線接続を介して受信されたメッセージに基づいてワイヤレス・インタフェースへの電力を調整させるためのインストラクションと、
を記憶したコンピュータ可読記憶媒体。
【発明の詳細な説明】
【技術分野】
【０００１】
本出願は、一般にモバイル機器、特に、携帯電話表示器に関する。
【背景技術】
【０００２】
モバイル機器（例えば電話、スマートホーン、パーソナル携帯情報機器（ＰＤＡ）、ウルトラモバイルパーソナル・コンピューター（ＵＭＰＣｓ）、モービル・インターネット機器（ＭＩＤｓ）、など）は互換性機器が範囲内であることをモバイル機器が検出するときに、ワイヤレス接続を使用し他の機器に自動的に接続することができる。そのような場合、モバイル機器はスイッチオンされたワイヤレス・モデムを有し、携帯電話の通信範囲内にある他のワイヤレス装置から同報メッセージを周期的に走査する。モバイル機器が他のワイヤレス装置から同報メッセージを受信すると、それは自動的に他の装置と接続することができ、データ送信及び／又は受信を開始することができる。これは他の機器を周期的に走査するようにモバイル機器のワイヤレス・モデムに電力供給するために追加の電力消費を必要とする。故に、この追加的な電力消費をなくす必要がある。
【発明の概要】
【０００３】
関連出願の相互参照
本出願は、２００９年４月１４日に出願した米国仮出願番号第６１／１６９，０９９号の利益を主張し、その全ての内容は参照することによりここに組み込まれる。
【０００４】
開示の典型的態様の概要は以下のようである。便宜のために、開示の一つ以上の態様は、単にここでは「幾つかの態様」として参照される。
【０００５】
ここに開示される方法及び装置又は機器は、各々幾つかの態様を持ち、その１つが望ましい属性に厳密に関与するわけではない。この開示の範囲を制限せずに、例えば、後述する請求項によって示されるように、そのより顕著な特徴は簡単に検討する。この検討を考慮した後に、特に、「詳細な説明」と名称付けられたセクションを読んだ後に、説明された特徴がそのようにモバイル機器での改良された電力消費を含む利点を提供するかを理解できるであろう。
【０００６】
この開示の一実施形態は、無線接続をトリガする方法を提供する。方法は、モバイル機器で有線の接続を検出することを含む。本方法は、有線接続の検出に基づくワイヤレス・インタフェースへの電力を調整することを更に含む。
【０００７】
この開示の他の実施形態は、ワイヤレス接続をトリガする方法を提供する。本方法は、モバイル機器で有線接続を検出することを含む。本方法は、モバイル機器と第２の機器との間にワイヤレス接続を確立することを更に含む。
【０００８】
この開示のさらにもう一つの実施形態は、ワイヤレス通信装置を提供する。ワイヤレス通信機器は、有線インタフェースを含む。ワイヤレス通信機器は、ワイヤレス・インタフェースを更に含む。ワイヤレス通信機器は更に、有線インタフェースで有線接続を検出することように構成されている第１の処理回路を含む。ワイヤレス通信機器は更に、有線接続の検出に基づいてワイヤレス・インタフェースへの電力を調整するように構成される第２の処理回路を含む。
【０００９】
この開示の更なる実施形態は、ワイヤレス通信機器を提供する。ワイヤレス通信機器は、モバイル機器で有線接続を検出する手段を含む。ワイヤレス通信機器は更に、有線接続の検出に基づいてワイヤレス・インタフェースへの電力を調整する手段を含む。
【００１０】
更に、この開示の更なる実施形態はコンピュータにモバイル機器で有線接続を検出させるためのコード及びコンピュータに有線接続の検出に基づいてワイヤレス・インタフェースへの電力を調整させるためのコードを含むコンピュータ可読媒体含むコンピュータプログラム製品を提供する。
【図面の簡単な説明】
【００１１】
【図１】モバイル機器の実施例を示しているブロック図である。
【図２】図１のモバイル機器の送信機の実施例を示しているブロック図である。
【図３】図１のモバイル機器の受信機の実施例を示しているブロック図である。
【図４】有線機器及びワイヤレス機器に接続している図１のモバイル機器の実施形態の図である。
【図５】モバイル機器と第２の機器との間の無線接続をトリガする方法の実施形態のフローチャートである。
【図６】モバイル機器と第２の機器との間の無線接続をトリガする方法の他の実施形態のフローチャートである。
【図７】モバイル機器の他の実施例を示しているブロック図である。
【発明を実施するための形態】
【００１２】
以下の詳細な説明は、本発明の特定の実施形態を対象としている。しかし、本発明は多数の異なる方法で実施されることができる。ここの態様は多種多様の形態で実施されてもよい、ここに開示されている任意の特定の構造、機能又はその両方は単に代表的であることは言うまでもない。ここでの教示に基づいて、当業者はここに開示される態様が任意の他の態様とは独立して実施されてもよく、これらの実施形態の２つ以上は種々の方法で組合されてもよいことは言うまでもない。例えば、装置は実施されてもよく又は方法はここに説明されているいくつもの態様を用いて実行されてもよい。更に、この種の装置は実施されてもよく又はそのような方法はここに説明されている１以上の態様に加えて又は以外の他の構成、機能性又は構成及び機能性を用いて実行されてもよい。幾つかの上記の概念の実施例として、モバイル機器と表示装置間の接続は、ワイヤレス・プロトコルに基づいてもよい。幾つかの態様において、装置間の通信回線は、有線のデータ伝送に基づいてもよい。
【００１３】
モバイル機器（例えば電話、スマートホーン、パーソナル携帯情報機器（ＰＤＡ）、ウルトラモバイル・パソコン（ＵＭＰＣｓ）、モバイル・インターネット機器（ＭＩＤｓ）、その他）は、一般的にワイヤレス接続（例えばブルートゥース（登録商標））を介して他の機器に接続されることができる。モバイル機器は、自動的に第２の機器を検出し、接続を初期化するように構成され、この第２の機器はワイヤレスでモバイル機器と接続することができる。しかし、自動的に接続を初期化するために他のワイヤレス機器を連続的に走査するワイヤレス・モデムに電力を供給するためにモバイル機器で電力消費の増加が生じる。方法及び装置は、モバイル機器のワイヤレス・モデムに知的に電力供給することによってモバイル機器で電力消費を減らすためにここに説明されている。説明されている方法及び装置と関連して使用できる幾つかのアーチテクチャが以下に説明される。
【００１４】
個人又は体面積ネットワーク（Personal or body area networks）は、互いに「一対」となった機器によって定義されてもよい。一対化はユーザ制御の下で含む、機器が互いに登録する方法である。一旦対にされると、機器は一般的にはそれらが対での処理を再度行わないで範囲内にあり、活性化するときにはいつでも互いに通信できる。
【００１５】
一対化の前に、機器は、例えば、機器が発見メッセージの交換を介して互いに発見できる状態に入ることによって最初に互いに見つけなければならない。見つかると、機器は互いに一対化できる。一対化は少なくとも部分的には特定の機器に対する一対化を制限するセキュリティ機能である。例えば、パスワード認証方式を含めることができるメッセージ交換を含んでもよい。パスワード認証方式では、第１の機器は第２の機器に対して機器の認証されない又は不所望な一対化を防ぐために（機器に対して構造でしばしば固定される、４ケタ数字のような）パスワードに応答しなければならない。ブルートゥース（登録商標）のようなネットワーキング・プロトコルにおいて、発見及び一対化は、別々の手順である。しかし、それらは多くの場合一緒に実行される。一旦一対化されると、機器は互いに登録され、範囲内にあり、能動化しているとき自動的に接続することができる。
【００１６】
一般的に、機器が範囲内にあるとき自動的にこの種のワイヤレス接続を形成するために、装置のうちの１台はページ走査モードにある。ページ走査モードにおいては、ワイヤレス機器は他の機器からメッセージを連続的に走査する。この走査は電力を消費する、電源がオンにされる装置のワイヤレス・モデムを必要とする。第２の機器は、ページ・モードにおいてあってもよい。ページ・モードにおいては、第２の機器は、周期的にメッセージを同報する。機器が範囲内にあり、ワイヤレス接続を始めるときに、ページ走査モードの第１の装置はメッセージを検出するであろう。
【００１７】
図１は、モバイル機器１０２の実施例を示すブロック図である。機器１０２は、メモリ２０４と通信しているプロセッサ２０２及び任意に、ワイヤレスリンク１０６を介して通信するためのネットワーク・インターフェース２０６を含む。任意に、機器１０２はまた、表示器２１０、キー、タッチスクリーン又は他の適切な触覚入力装置のようなユーザ入力装置２１２、ワイヤレスリンク１０６を介して受信される信号に基づいて音響出力を提供するように構成されるトランスデューサを含むラウドスピーカ２１４及び／又はワイヤレスリンク１０６を介して送信される信号の音響入力を提供するように構成されるトランスデューサを含むマイクロホン２１６の１つ以上を含むこともできる。例えば、機器１０２はグラフィカル・ユーザ・インタフェース（ＧＵＩ）の視覚出力を提供するのに適している表示器２１０を含むことができる。機器１０２は、また、充電器のケーブルとインタフェースする充電コントローラ２０５を含むことができる。充電器が充電コントローラ２０５を介して機器１０２に接続されるときに、バッテリ２３１は充電を受け、及び／又は充電コントローラ２０５は機器１０２に電力を供給する。充電コントローラ２０５は、更にプロセッサ２０２と通信できる。充電コントローラ２０５は、充電器が機器１０２に接続されることをプロセッサ２０２に知らせることができる。ネットワーク・インターフェース２０６は、ＣＤＭＡ、ＧＳＭ（登録商標）、ＡＭＰＳ又はワイヤレス携帯電話ネットワーク内で通信するために用いられる他の既知の信号のような信号を送受信することができる。
【００１８】
典型的な機器１０２がワイヤレスリンク１０６を介して一つ以上の機器と通信することができるように、ネットワーク・インターフェース２０６は任意の適切なアンテナ（図示せず）、受信機２２０及び送信機２２２を含むことができる。任意に、ネットワーク・インターフェース２０６はまた、プロセッサ２０２の処理必要条件を減らす処理能力を有することができる。一実施例において、ネットワーク・インターフェース２０６はワイヤレス・モデムを含むことができる。
【００１９】
任意に、機器１０２はリンク１０８を介してネットワーク（例えばインターネットのようなワイド・エリア・ネットワーク）を介して通信する第２のネットワーク・インターフェース２０８を含むことができる。例えば、機器１０２は有線又はワイヤレス通信リンクを介したネットワークに対する接続を提供することができる。更に、機器１０２の一つ以上は携帯用でも、又は場合によっては、比較的非携帯用であってもよいことは言うまでもない。第２のネットワーク・インターフェース２０８は、ＩＥＥＥ  ８０２．１１（ａ）、（ｂ）又は（ｇ）、ブルートゥース規格を含めて、ＩＥＥＥ  ８０２．１１規格に従ってＲＦ信号を送受信することができる。更に、第２のネットワーク・インターフェース２０８は、イーサネット（登録商標）（ＩＥＥＥ  ８０２．３）又はＵＳＢのようないかなる適切な有線ネットワーク・インターフェースを含むことができる。第２のネットワーク・インターフェース２０８は、適切な有線表示インタフェース（例えばモバイルディスプレイデジタルインタフェース（ＭＤＤＩ）、高精細度マルチメディア・インタフェース（ＨＤＭＩ）、モバイル高精細度リンク（ＭＨＬ）、ＴＶＯｕｔ、ビデオ・グラフィックス・アレイ（ＶＧＡ）、デジタル・ビジュアル・インターフェース（ＤＶＩ）、その他）を含んでもよい。機器１０２は、また、第２ネットワーク・インターフェース２０８と同様の第３のネットワーク・インターフェース２２５を含むことができる。一実施形態では、第２のネットワーク・インターフェース２０８は任意の適切な有線インタフェースを含み、第３のネットワーク・インターフェース２２５は任意の適切なワイヤレス・インタフェースを含む。一実施形態において、第３のネットワーク・インターフェース２５５は、ワイヤレス・モデムで構成されてもよい。
【００２０】
第３のネットワーク・インターフェース２２５は、ネットワーク・コントローラ２２４と通信してもよい。ネットワーク・コントローラ２２４は、第３のネットワーク２２５をオン及び／又はオフすることを制御してもよい。例えば、ネットワーク・コントローラ２２４は機器１０２が第３のネットワーク・インターフェース２２５を介して他の機器と通信することを可能にする第３のネットワーク・インターフェース２２５を作動するように構成されてもよい。ネットワーク・コントローラ２２４は、更にプロセッサ２０２と通信してもよい。ネットワーク・コントローラ２２４は、機器１０２が充電コントローラ２０５を介して充電器に接続されるかどうか、又は、機器１０２がネットワーク・インターフェース２０８を介して有線機器に接続しているかどうかのようなプロセッサ２０２から情報を受信することができる。ネットワーク・コントローラ２２４は、このような情報を第３のネットワーク・インターフェース２２５への電力を制御する方法を決定するために使用することができる。
【００２１】
機器１０２は、機器１０２の一つ以上のコンポーネントに電力を供給する電池２３１を含むことができる。機器１０２は、電話、スマートホーン、パーソナル携帯情報機器（ＰＤＡ）、ウルトラモバイル・パーソナル・コンピュータ（ＵＭＰＣ）、モバイル・インターネット機器（ＭＩＤ）又は任意の他のモバイル機器のうちもの少なくとも１つを含むことができる。特に、ここの教示は様々な機器１０２に組み込まれる（例えば、内部で実施されるか又は実行される）ことができる。
【００２２】
ここに説明されているコンポーネントは、様々な方法で実行されてもよい。図１を参照すると、機器又は装置１０２は一連の相互関係のある機能ブロックとして表されており、これら機能ブロックは例えば、プロセッサ２０２、ソフトウェア、その幾つかの組合せによって、又は幾つかの他の方法で実施される機能を表すことができる。例えば、プロセッサ２０２は入力機器２１２を経たユーザ入力を容易にすることができる。更に、送信機２２２は他の機器１０２に送信情報に関する種々の機能性を提供する送信用プロセッサを含んでもよい。受信機２２０はここで説明したように他の機器１０２からの受信情報に関する種々の機能性を提供する受信用プロセッサを含んでもよい。
【００２３】
上記したように、図１は幾つかの態様においてこれらのコンポーネントが適切なプロセッサ・コンポーネントを介して実行されることができることを示す。これらのコンポーネントは幾つかの態様においてここで説明されているような構成を使用して、少なくとも部分的に、実施されてもよい。幾つかの態様では、プロセッサはこれらのコンポーネントの一つ以上の機能性の部分又は全てを実行するように構成されてもよい。幾つかの態様では、破線ブロックによって表されるコンポーネントの一つ以上は任意である。
【００２４】
図２は、機器１０２の送信機２２２の実施を示しているブロック図である。従来技術において技術のうちの１つにとって明らかであるように、図２の図示ブロック図では、機器１０２の論理モジュールは通信ネットワークのための階層化抽象的説明に関して示される。以下に説明するように、各層は、ソフトウェア、ハードウェア又は両方の任意の適切な組合せで実行されることができる一つ以上の論理モジュールで構成することができる。送信機２２２は、含むことができる：
（i）データリンクに情報を提供するアプリケーション層４０１又は送信用メディアアクセス制御（ＭＡＣ）層４０２、
（ii）アプリケーション層４０１からデータを受信し、物理層４０４にそれを提供するアクセス制御（ＭＡＣ）層４０２、及び、
（iii）ＭＡＣ層４０２からデータを受信し、ワイヤレスチャネル１０６を介してデータを送信する物理（ＰＨＹ）層４０４を含めることができる。図示送信機２２２では、ＰＨＹ層は、パルス発生器４０６、符号化及び変調ブロック４０８並びに送信ブロック４１０を含む。位相ロックループ（ＰＬＬ）（図示せず）は、ＰＨＹ層にタイミング信号を出力することができる。パルス発生器４０６は、ガウスパルス波形のような波形を生成する。符号化及び変調ブロック４０８は、畳み込み符号化、ブロック符号化又は連結コード化のような符号化方式を使用してＭＡＣ層４０２によって提供される情報信号を符号化し、パルス位置変調、パルス振幅変調又は送信参照変調のような方式を使用して符号化情報信号に基づいてパルス信号を変調する。送信ブロック４１０は、変調パルス信号を送信する。送信ブロック４１０の機能は、送信用変調パルス信号を増幅し、信号をアンテナに出力することを含むことができる。
【００２５】
図３は、機器１０２の受信機２２０の実施例を示しているブロック図である。従来技術のうちの１つにとって明らかであるように、図３の図示ブロック図では、機器１０２の論理モジュールは通信ネットワークの階層化の抽象的説明に関して示される。以下に説明するように、各層は、ソフトウェア、ハードウェア又は両方の任意の適切な組合せで実施できる一つ以上の論理モジュールを含むことができる。図３では、受信機２２０はアプリケーション層４０１及びＭＡＣ層４０２を含む。ＰＨＹ層４０４は、ＭＡＣ層４０２と通信する。受信機のＰＨＹ層４０４は、復調及び復号ブロック５０８並びに受信ブロック５１０を含む。受信ブロック５１０は、アンテナ、電力増幅器及び他の適切な受信機コンポーネントで構成することができるコンポーネント（図示せず）を含むことができる。受信ブロック５１０は無線信号を受信し、信号を復調し、復号化して、受信データをＭＡＣ層４０２に提供する復調及び復号ブロック５０８へその信号を出力する。
【００２６】
受信機２２０及び送信機２２２は、様々なワイヤレス物理層方式を使用することができる。例えば、受信機２２０及び送信機２２２の物理層４０４は、ＣＤＭＡ、ＴＤＭＡ、ＯＦＤＭ、ＯＦＤＭＡ又は他の変調及び多重化方式の幾つかの形態を利用することができる。
【００２７】
図４は、モバイル機器６０２（例えば機器１０２）、外部機器６０４及びワイヤレス機器６１０の実施形態を示しているブロック図である。幾つかの実施形態では、モバイル機器６０２は、表示６０１（例えば、表示器２１０）、ワイヤレス・モデム６０６（例えば、ネットワーク・インターフェース２２５）及び一つ以上の有線インタフェース６０３（例えば、ネットワーク・インターフェース２０８及び／又は充電コントローラ２０５）の少なくとも１つを含む。他の実施例では、モバイル機器６０２は表示器６０１を含まない。幾つかの実施形態では、外部機器６０４は表示器６０７、ワイヤレス・モデム６０８及び有線インタフェース６０５を含む。他の実施形態では、外部機器６０４はワイヤレス・モデム６０８を含まない。幾つかの実施形態では、ワイヤレス機器６１０はワイヤレス・モデム６１２を含む。ワイヤレス・モデム６０６、６０８及び６１２は、同じワイヤレス・プロトコル（例えばブルートゥース、８０２．１１ａ、８０２．１１ｂ、８０２．１１ｇ、８０２．１１ｎ、その他）を使用して通信することができる。外部装置６０４は、例えば、オーディオ及び／又はビデオ出力ができる外部表示機器、ｍｐ３プレーヤなどのようなオーディオ機器であってもよい。ワイヤレス機器６１０は、例えば、ワイヤレススピーカ・システム、ワイヤレス・キーボード、ワイヤレスヘッドセット、などであってもよい。当業者は、下記システム及び方法が多くの他の同様な機器と関連して使用されることができると認識するであろう。従って、以下のシステム及び方法の使用は、まさに説明した実施例に限定されない。
【００２８】
一実施形態では、モバイル機器６０２が機能しているときページ走査モードにあり、ページ走査モードにおいてワイヤレス可能機器からのページ・メッセージを走査する。ワイヤレス・モデム６０６が停止されたときでも、モバイル機器６０２は他のワイヤレス可能機器に自動的に接続することができるように設計されている。上記のように、ワイヤレス接続が機器間に確立するためには、機器は範囲内でなければならない。ワイヤレス・モデム６０６が停止されるときでも機器は範囲内にあることを検出する１つの方法はワイヤレス可能機器が範囲内にあることを示す幾つかの他の外部トリガを使用することである。外部トリガに応答して、ワイヤレス・モデム６０６は、ワイヤレス可能機器を起動してもよくワイヤレス可能機器とワイヤレスに接続してもよい。
【００２９】
他の実施形態では、モバイル機器６０２は外部トリガに応答して他のワイヤレス可能機器とのワイヤレス接続を確立するように構成されてもよい。幾つかのそのような実施形態において、モバイル機器６０２のワイヤレス・モデム６０６は有線接続が検出される前に電力供給されてもよい。
【００３０】
実施形態によっては、外部トリガは、モバイル機器６０２と他の機器との間の有線インタフェース６０３での有線接続の検出となる。実施形態によっては、有線接続は、モバイル機器６０２と外部素子６０４との間にある。そのような実施形態では、例えば、有線の接続は、モバイル機器６０２と外部機器６０４との間でビデオ・データの交換のために使用されてもよい。もう一つの実施形態では、有線接続は、モバイル機器６０２と充電器との間にある。一実施形態では、充電器は電気充電器である。もう一つの実施例では、充電器は磁気充電器である。
【００３１】
一実施形態では、モバイル機器６０２が有線インタフェース６０３でケーブルの接続を検出すると、モバイル機器６０２はワイヤレス・モデム６０６に電力供給し、他の機器と接続しようとする。他の実施形態では、モバイル機器６０２が有線インタフェース６０３でケーブルの接続を検出すると、モバイル機器６０２はワイヤレス・モデム６０６に電力を供給しない。このような実施形態では、モバイル機器６０２が有線接続を形成している機器からのメッセージを受信することができる。例えば、モバイル機器６０２はビデオ・データを交換するために有線接続を介して外部機器６０４との接続を形成することができる。外部機器６０４は、モバイル機器６０２がワイヤレス・モデム６０６をオンにし、他の機器を捜さなければならないことを示しているモバイル機器６０２にメッセージを送ることができる。実施形態によっては、モバイル機器６０２はワイヤレスで外部機器６０４と接続する。そのような実施形態では、モバイル機器６０２はワイヤレス接続を介して音声データをワイヤレス機器６０４と交換する。他の実施形態では、モバイル機器６０２はワイヤレスでワイヤレス機器６１０と接続する。そのような実施形態において、モバイル機器６０２はワイヤレス接続を介して音声データをワイヤレス機器６０４と交換する。
【００３２】
幾つかの他の実施形態では、モバイル機器６０２が有線インタフェース６０３でケーブルの接続を検出するとき、ワイヤレス・モデム６０６は、すでに電力供給されている。そのような実施形態では、モバイル機器６０２は有線接続を検出することに応答して他のワイヤレス可能機器とのワイヤレス接続を確立することができる。幾つかのそのような実施形態では、モバイル機器６０２が有線接続を形成している機器からのメッセージを受信することを待つことができ、その後、メッセージに応答してワイヤレス接続を確立してもよい。
【００３３】
実施形態によっては、モバイル機器６０２は外部トリガに応答して知的にワイヤレス・モデム６０６を停止することができる。一実施形態では、モバイル機器６０２が有線インタフェース６０３でケーブルの切断を検出すると、モバイル機器６０２はワイヤレス・モデム６０６を電源遮断する。他の実施形態では、モバイル機器６０２が有線接続を確立していた機器からのメッセージを受信すると、モバイル機器６０２はワイヤレス・モデム６０６を電源遮断する。例えば、モバイル機器６０２はビデオ・データを交換するために有線接続を介して外部機器６０４との接続を確立していたかもしれない。外部機器６０４は、モバイル機器６０２がワイヤレス・モデム６０６をオフにしなければならないことを示しているモバイル機器６０２にメッセージを送ることができる。
【００３４】
幾つかの他の実施形態では、モバイル機器６０２はワイヤレス・モデム６０６に電力供給しないで、外部トリガに応答してワイヤレス接続を終了させることができる。一実施形態では、モバイル機器６０２が有線インタフェース６０３でケーブルの切断を検出すると、モバイル機器６０２はいかなるワイヤレス接続も終了する。他の実施形態では、モバイル機器６０２が有線接続を確立していた機器からメッセージを受信すると、モバイル機器６０２はいかなるワイヤレス接続も終了する。例えば、モバイル機器６０２はビデオ・データを交換するために有線接続を介して外部機器６０４との接続を確立していたかもしれない。外部機器６０４は、モバイル機器６０２がいかなるワイヤレス接続も終了しなければならないことを示しているモバイル機器６０２にメッセージを送ることができる。
【００３５】
実施形態によっては、ユーザはワイヤレス・モデム６０６の電力供給及び電力遮断を制御することができる。更に、ユーザはモバイル機器６０２とのワイヤレス接続を確立すること及び終了することを制御することができる。例えば、ユーザはモバイル機器６０２を制御するためにモバイル機器６０２でコマンドを入力する（例えば、ボタンを押す）ことができる。ユーザ制御は上記した実施形態に加えて使用することができる。ユーザ制御は、上記した他の実施形態に従って機能している「デフォルト」を無効にすることができる。
【００３６】
図５は、モバイル機器６０２と第２の機器とのワイヤレス接続をトリガする処理７００の実施形態のフローチャートである。この実施例のために、ワイヤレス・モデム６０６がまず最初にオフにされると仮定される。処理７００の第１のステップ７０２で、第１のトリガ事象が生じたかどうか決定される。一実施形態では、第１のトリガ事象はケーブルがモバイル機器６０２の有線インタフェース６０３に取り付けることである。もう一つの実施形態では、第１のトリガ事象は有線接続を介してモバイル機器６０２で受信されるメッセージであり、但し、メッセージはワイヤレス・モデム６０６が作動されるべきことを示す。第１のトリガ事象が生じなかったと決定されれば、処理はステップ７０２に戻る。第１のトリガ事象が生じたことが決定されれば、処理７００はステップ７０４に進む。ステップ７０４で、モバイル機器６０２はワイヤレス・モデム６０６を電源投入し、ワイヤレス装置を走査する。次のステップ７０６で、第２のトリガ事象が生じたかどうかが決定される。一実施形態において、第２のトリガ事象はケーブルがモバイル機器６０２の有線インタフェース６０３から取り除くことである。もう一つの実施形態では、第２のトリガ事象は有線接続を介してモバイル機器６０２で受信されるメッセージであり、但し、メッセージはワイヤレス・モデム６０６が停止されるべきことを示す。第２のトリガ事象が生じなかったと決定される場合、処理７００はステップ７０６に戻る。択一的に、第２のトリガ事象が生じた場合、処理７００はステップ７０８に進み、ワイヤレス・モデム６０６が電源遮断される。
【００３７】
処理７００の幾つかの実施形態は追加的なステップを含むことができる。その一方で、他の実施形態はより少ないステップ又は代替ステップを含むことができる。例えば、一実施形態において、処理７００はステップ７０４と７０６との間にモバイル機器６０２がオーディオデータをワイヤレス装置と交換するステップを含む。更に実施形態によっては、ステップ７０４は代わりにワイヤレス接続を開始することであってもよく、ステップ７０８はワイヤレス接続を終了することであってもよい。
【００３８】
図６は、モバイル機器６０２と第２の機器とのワイヤレス接続をトリガする処理８００の他の実施形態のフローチャートである。この実施例では、ワイヤレス・モデム６０６がまず最初にオフにされると仮定される。第１のステップ８０５では、モバイル機器６０２と第２の機器とのワイヤレス接続を誘引するための簡単な動作モード又は高度な動作モードが選択される。例えば、入力機器２１２を介してユーザによって、又は自動的にプロセッサ２０２によって選択されてもよい。ステップ８１０で続け、簡単な動作モードが選ばれるかどうか決定される。簡単な動作モードが選ばれると決定される場合、プロセスはステップ８１５に進む。簡単な動作モードが選ばれないと決定される場合、プロセスはステップ８３５に進む。
【００３９】
ステップ８１５で、ケーブルがモバイル機器６０２の有線インタフェース６０３に取り付けられるかどうか決定される。ケーブルがモバイル機器６０２の有線インタフェース６０３に取り付けられないことが決定される場合、処理８００はステップ８１５に戻る。ケーブルがモバイル機器６０２の有線インタフェース６０３に接続されると決定される場合、処理８００はステップ８２０に進む。ステップ８２０で、モバイル機器６０２はワイヤレス・モデム６０６に電力供給し、ワイヤレス装置を走査する。次のステップ８２５で、ケーブルがモバイル機器６０２の有線インタフェース６０３から切り離されるかどうか決定される。ケーブルがモバイル機器６０２の有線インタフェース６０３から切り離されないと決定される場合、処理８００はステップ８２５に戻る。択一的に、ケーブルがモバイル機器６０２の有線インタフェース６０３から切り離される場合、処理８００はステップ８３０に進み、ワイヤレス・モデム６０６が電源遮断される。
【００４０】
ステップ８３５で、メッセージが有線接続を介してモバイル機器６０２で受信されるかどうか決定される。この場合、メッセージはワイヤレス・モデム６０６がオンにされるべきことを示す。ワイヤレス・モデム６０６がオンにされるべきことを示すメッセージが受信されないと決定されれば、処理８００はステップ８３５に戻る。ワイヤレス・モデム６０６が作動されるべきことを示すメッセージが受信されることが決定されれば、処理８００はステップ８４０に進む。ステップ８４０で、モバイル機器６０２がワイヤレス・モデム６０６を電源投入し、ワイヤレス装置を走査する。次のステップ８４５で、メッセージが有線接続介してモバイル機器６０２で受信さられるかどうか決定される。この場合、メッセージはワイヤレス・モデム６０６がオフにされるべきことを示す。ワイヤレス・モデム６０６がオフされるべきことを示すメッセージが受信されないことが決定されれば、処理８００はステップ８４５に戻る。択一的に、ワイヤレス・モデム６０６がオフにされるべきことを示しているメッセージが受信されると決定されれば、処理８００はステップ８５０に進み、ワイヤレス・モデム６０６が電源遮断される。
【００４１】
（例えば、添付図の一つ以上に関して）ここに説明されている機能性は、幾つかの実施形態において添付の請求項に同様に指定された「手段」の機能性に対応することができる。図７を参照すると、モバイル機器６０２は一連の相互関係のある機能的なモジュールとして表されている。
【００４２】
図７は、モバイル機器の他の実施例を例示しているブロック図である。図示のように、モバイル機器６０２は検出ユニット９０５、調整ユニット９１０、表示ユニット９１５及びワイヤレス・インタフェースユニット９２０を含むことができる。検出ユニット９０５はここにおいて検討するように、少なくとも幾つかの態様では、例えば、ネットワーク・インターフェース、充電コントローラ及び／又はプロセッサに対応できる。調整ユニット９１０はここにおいて検討するように、少なくとも幾つかの態様では、例えば、ネットワーク・コントローラ及び／又はプロセッサに対応できる。表示ユニット９１５はここにおいて検討するように、少なくとも幾つかの態様では、例えば、表示器に対応できる。ワイヤレス・インタフェースユニット９２０はここにおいて検討するように、少なくとも幾つかの態様では、例えば、ネットワーク・インターフェースに対応できる。
【００４３】
図７のモジュールの機能性は、ここでの教示と一致する種々の方法で実施されることができる。幾つかの態様では、これらのモジュールの機能性は、一つ以上の電気コンポーネントとして実施されることができる。幾つかの態様では、これらのブロックの機能性は、一つ以上のプロセッサ・コンポーネントを含んでいる処理システムとして実施されることができる。幾つかの態様では、これらのモジュールの機能性は、例えば、少なくとも一つ以上の集積回路（例えばＡＳＩＣ）の少なくとも一部を用いて実施されることができる。ここで検討されるように、集積回路はプロセッサ、ソフトウェア、他の関連したコンポーネント又はそれらの幾つかの組合せを含むことができる。これらのモジュールの機能性もここに教示されているような幾つかの他の方法で実施されることができる。
【００４４】
「第１」、「第２」などのような指定を用いている素子の参照は、これらの要素の量又は順序を通常では制限していないことは言うまでもない。むしろ、これらの呼称は、２つ以上の要素間又は１つの要素の事例間を区別する一般的な方法としてここに使用することができる。故に、第１及び第２の要素の参照は、２つの要素だけがそこで使用されることができる、又は、第１の要素が幾つかの方法において第２の要素に先行しなければならないことを意味していない。また、別に記載がなければ、一組の要素は一つ以上の要素を含むことができる。更に、説明又は請求項に使用されている「Ａ、Ｂ又はＣのうちの少なくとも１つ」の用語は「Ａ又はＢ又は、Ｃ若しくはこれらの要素の任意の組合せ」を意味している。
【００４５】
明細書は本発明の特定の実施例を説明しているが、当業者は発明の概念から逸脱することなく、本発明の変形を発明することができる。例えば、ここの教示はフェムト・セル及びマクロ・セルを伴うネットワークを参照しているが、他のトポロジを伴うネットワークに同等に適用できる。
【００４６】
当業者は情報及び信号が様々な異なる技術及び技法のいずれかを用いて表されることができる。例えば、データ、インストラクション、コマンド、情報、信号、ビット、シンボル及び上記の説明の全体にわたって参照されることができるチップは、電圧、電流、電磁波、磁場又は分子、光学場又は分子、若しくはそれらの任意の組合わせによって表すことができる。
【００４７】
当業者は、種々の図示する論理ブロック、モジュール、回路、方法及びここに開示される実施例と関連して説明されているアルゴリズムが電子ハードウェア、コンピュータ・ソフトウェア又は両方の組合せとして実施されることができること更に認めるであろう。これを明確に示すために、ハードウェアとソフトウェア、種々の図示するコンポーネント、ブロック、モジュール、回路、方法及びアルゴリズムの互換性は、それらの機能性に関して一般に上記に説明してきた。そのような機能性がハードウェア又はソフトウェアとして実施されるかどうかは特定のアプリケーション及び総体システムに課せられた設計制約に依存する。熟練した職人は各特定のアプリケーション毎に各種方法で説明した機能性を実施することができるが、そのような実施の決定は本発明の範囲から逸脱させるとして解釈されるべきでない。
【００４８】
種々の図示する論理ブロック、モジュール及びここに説明されている実施例と関連して説明されている回路は汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラム可能論理機器に、離散的ゲート又はトランジスタロジック、離散的ハードウェア・コンポーネント又はここに説明された機能を実行するように設計されたその幾つかの組合わせによって実施されてもよく又は実行されてもよい。汎用プロセッサはマイクロプロセッサであってもよいが、択一的に、プロセッサは任意の一般的プロセッサ、コントローラ、マイクロコントローラ又は状態装置であってもよい。プロセッサは、また、コンピュータ機器の組合わせ、例えばＤＳＰとマイクロプロセッサの組合せ、複数のマイクロプロセッサの組合わせ、ＤＳＰ通信と関連した一つ以上のマイクロプロセッサの組合わせ又は任意の他のそのような構成もとして実施されることができる。
【００４９】
ここに開示されている実施例と完レインして説明されている方法又はアルゴリズムはハードウェアで直接に、プロセッサによって実行されるソフトウェア・モジュールで、又は二つの組合せで実施されてもよい。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ又は公知技術の記憶媒体の他のいかなる形態であってもよい。記憶媒体はプロセッサが記憶媒体から情報を読み取り、情報を書き込むことができるようにプロセッサに接続されてもよい。択一的に、記憶媒体はプロセッサに一体的であってもよい。プロセッサ及び記憶媒体は、ＡＳＩＣにあってもよい。
【００５０】
一つ以上の典型的な実施形態では、説明されている機能は、ハードウェア、ソフトウェア、ファームウェア又はその任意の組合せによって実施されてもよい。ソフトウェアで実施される場合、機能はコンピュータ読取り可能媒体上の一つ以上のインストラクション又はコードとして記憶されてもよく又は伝送されてもよい。コンピュータ可読メディアは、コンピュータ記憶媒体及び一方から他方の場所にコンピュータプログラムの転送することを容易にするいかなる媒体も含む通信媒体の両方を含む。記憶メディアは、汎用又は専用コンピュータによってアクセスできる任意の利用可能メディアであってもよい。例えば、この例に限らないが、このようなコンピュータ可読メディアは、ＲＡＭ、ＲＯＭ、ＥＥＰＲＯＭ、ＣＤ−ＲＯＭ又はその他光学ディスク記憶装置、磁気ディスク記憶装置又は他の磁気記憶装置、若しくはインストラクション又はデータ構造の形態で所望のプログラムコード手段を配送又は記憶するために使用でき、汎用又は専用コンピュータ、又は、汎用又は専用プロセッサによってアクセスできる任意の他の媒体を含んでもよい。また、いかなる接続も、適切にはコンピュータ読取り可能媒体と呼ばれる。例えば、ソフトウェアがウェブサイト、サーバ又は同軸ケーブル、光ファイバーケーブル、ツイスト・ペア、デジタル加入者回線（ＤＳＬ）又は赤外線、無線及びマイクロ波のようなワイヤレス技術を用いて送信されれば、同軸ケーブル、光ファイバーケーブル、ツイスト・ペア、ＤＳＬ又は赤外線、無線及びマイクロ波のようなワイヤレス技術は媒体の定義に含まれる。ここに使用されるような、ディスク（ｄｉｓｋ）及びディスク（ｄｉｓｃ）はコンパクトディスク（ＣＤ）、レーザーディスク（登録商標）、光ディスク、デジタルバーサタイルディスク（ＤＶＤ）、フロッピー（登録商標）ディスク及びディスクを含む、但し、ディスク（ｄｉｓｋｓ）は通常ではデータを磁気的に再生し、これに対してディスク（ｄｉｓｃ）はデータをレーザによって光学的に再生する。上記の組合せもコンピュータ可読メディアの範囲内で含まれなければならない。
【００５１】
開示された実施例の前の説明は、いかなる当業者も本発明を製造又は使用することができるように提供される。これらの実施例に対する種々の変形例は当業者に容易に明らかであり、ここに定義された一般的な原理は発明の精神又は範囲から逸脱することなく、他の実施例に適用することができる。このように、本発明はここに示される実施例に限られていることを意図していなが、ここに開示された原理及び新規の特徴と一致する最も広い範囲を受けることである。
以下に本件出願当初の特許請求の範囲に記載された発明を付記する。
［１］  ワイヤレス接続をトリガする方法であって、
モバイル機器で有線接続を検出すること、前記有線接続の検出に基づいてワイヤレス・インタフェースに対する電力を調整すること、を含む方法。
［２］  モバイル機器で有線接続を検出することは、前記モバイル機器に接続されるケーブルを検出することを含む、［１］の方法。
［３］  モバイル機器で有線接続を検出することは、前記モバイル機器に最初に接続されたケーブルの切り離しを検出することを含む、［１］の方法。
［４］  モバイル機器で有線接続を検出することは、前記有線接続を介して第２の機器からメッセージを受信することを含む、［１］の方法。
［５］  前記電力を調整することは、前記ワイヤレス・インタフェースをオフにすることを含む、［１］の方法。
［６］  前記電力を調整することは、ワイヤレス・インタフェースをオンにすることを含む、［１］の方法。
［７］  前記モバイル機器と第２の機器間に有線接続を確立することを更に含む、［１］の方法。
［８］  前記モバイル機器と前記第２の機器間にワイヤレス接続を確立することを更に含む、［７］の方法。
［９］  前記モバイル機器と第３の機器間に有線接続を確立することを更に含む、［１］の方法。
［１０］  前記モバイル機器と第２の機器間にワイヤレス接続を確立することを更に含む、［９］の方法。
［１１］  前記ワイヤレス・インタフェースがブルートゥース・インタフェースである、［１］の方法。
［１２］  前記モバイル機器はブルートゥース・モデムを含む、［１１］の方法。
［１３］  前記モバイル機器はワイヤレス・インタフェースを含む、［１］の方法。
［１４］  前記モバイル機器は有線インタフェースを含む、［１］の方法。
［１５］  前記有線インタフェースはＭＤＤＩ、ＵＳＢ、イーサネット、磁気充電器、電気充電器、ＤＶＩ、ＶＧＡ、ＴＶＯｕｔ、ＨＤＭＩ又はＭＨＬのうちの１つである、［１４］の方法。
［１６］  有線接続を介して受信されるメッセージに基づいてワイヤレス・インタフェースへの電力を調整することを更に含む、［１］の方法。
［１７］  ユーザ入力に基づいて前記ワイヤレス・インタフェースへの前記電力を調整することを無効にすることを更に含む、［１］の方法。
［１８］  ワイヤレス接続をトリガする方法であって、モバイル機器で有線接続を検出すること、前記モバイル機器と第２の機器間にワイヤレス接続を確立することを更に含む、方法。
［１９］  前記モバイル機器と第３の機器間に有線接続を確立することを更に含む、［１７］の方法。
［２０］  前記第３の機器は前記第２の機器を含む、［１８］の方法。
［２１］  有線のインタフェースと、ワイヤレス・インタフェースと、前記有線インタフェースで有線接続を検出するように構成される第１の処理回路と、前記有線接続の検出に基づいて、前記ワイヤレス・インタフェースへの電力を調整するように構成される第２の処理回路と、を具備するワイヤレス通信装置。
［２２］  前記第１の処理回路は更に前記モバイル機器に接続しているケーブルを検出するように構成される、［２１］のワイヤレス通信装置。
［２３］  前記第１の処理回路は更に前記モバイル機器に最初に接続しているケーブルの切断を検出するように構成される、［２１］のワイヤレス通信装置。
［２４］  前記第１の処理回路は更に前記有線接続を介して第２の機器からメッセージを受信するように構成される、［２１］のワイヤレス通信装置。
［２５］  前記第２の処理回路は更に前記ワイヤレス・インタフェースをオフにするように構成される、［２１］のワイヤレス通信装置。
［２６］  前記第２の処理回路は更に前記ワイヤレス・インタフェースをオンにするように構成される、［２１］のワイヤレス通信装置。
［２７］  前記モバイル機器と第２の機器間に有線接続を確立するように構成される第３の処理回路を更に含む、［２１］のワイヤレス通信装置。
［２８］  前記第２の処理回路は更に前記モバイル機器と第２の機器間にワイヤレス接続を確立するように構成される、［２７］のワイヤレス通信装置。
［２９］  前記モバイル機器と第３の機器間に有線接続を確立するように構成される第３の処理回路を更に含む、［２１］のワイヤレス通信装置。
［３０］  前記第２の処理回路は更に前記モバイル機器と第２の機器間にワイヤレス接続を確立するように構成される、［２９］のワイヤレス通信装置。
［３１］  前記ワイヤレス・インタフェースはブルートゥース・インタフェースである、［２１］のワイヤレス通信装置。
［３２］  ブルートゥース・モデムを更に含む、［２１］のワイヤレス通信装置。
［３３］  前記有線インタフェースはＭＤＤＩ、ＵＳＢ、イーサネット、磁気充電器、電気充電器、ＤＶＩ、ＶＧＡ、ＴＶＯｕｔ、ＨＤＭＩ又はＭＨＬ．のうちの１つである、［２１］のワイヤレス通信装置。
［３４］  前記第２の処理回路は更に前記有線接続を介して受信されるメッセージに基づいて前記ワイヤレス・インタフェースへの電力を調整するように構成される、［２１］の方法。
［３５］  ユーザ入力に基づいて前記第２の処理回路を無効にするように構成される第３の処理回路を更に含む、［２１］のワイヤレス通信装置。
［３６］  モバイル機器で有線接続を検出する手段と、前記有線接続の検出に基づいて、ワイヤレス・インタフェースへの電力を調整する手段と、を具備するワイヤレス通信装置。
［３７］  コンピュータにモバイル機器で有線接続を検出させるためのコードと、コンピュータに前記有線接続の検出に基づいてワイヤレス・インタフェースに対する電力を調整させるためのコードと、を含むコンピュータ可読媒体を含むコンピュータプログラム製品。
【図１】
0005705828.tif 000002
【図２】
0005705828.tif 000003
【図３】
0005705828.tif 000004
【図４】
0005705828.tif 000005
【図５】
0005705828.tif 000006
【図６】
0005705828.tif 000007
【図７】
0005705828.tif 000008